(57)【要約】【課題】  巻付体と鉢本体と受皿を着脱自在に組み合わせることができ、用途・目的や植物の特性に合わせて使用できると共に、手入れや掃除が簡単にでき、色のコーディーネートによりインテリアとしても格調の高い植木鉢を提供する。【解決手段】  主に蔓草を巻き付ける取付片を設けた網目状の巻付体と、該取付片に着脱自在に取り付けるべく取付部を設けてなる支持軸を突設すると共に、受皿連結部を設けてなる鉢本体と、該受皿連結部に着脱自在に取り付ける鉢連結部を設けてなる受皿とから構成してなることを特徴とする植木鉢。【選択図】図１
0003124595.tif 000002
【実用新案登録請求の範囲】
【請求項１】
主に蔓草を巻き付ける取付片を設けた網目状の巻付体と、該取付片に着脱自在に取り付けるべく取付部を設けてなる支持軸を突設すると共に、受皿連結部を設けてなる鉢本体と、該受皿連結部に着脱自在に取り付ける鉢連結部を設けてなる受皿とから構成してなることを特徴とする植木鉢。
【請求項２】
取付片が、巻付体の上部内側に複数突設してなることを特徴とする請求項１記載の植木鉢。
【請求項３】
取付部が、通孔であることを特徴とする請求項１又は２記載の植木鉢。
【請求項４】
受皿連結部と鉢連結部を、凹状あるいは凸状とすることを特徴とする請求項１、２又は３記載の植木鉢。
【請求項５】
支持軸の頂部を、巻付体の上面より適宜突出してなることを特徴とする請求項１、２、３又は４記載の植木鉢。
【請求項６】
巻付体に、フック片を設けてなることを特徴とする請求項１、２、３、４又は５記載の植木鉢。
【請求項７】
巻付体の下面を、鉢の上面より、下方に位置させてなることを特徴とする請求項１、２、３、４、５又は６記載の植木鉢。
【請求項８】
巻付体と鉢本体と受皿の色を各種設けてなることを特徴とする請求項１、２、３、４、５、６又は７記載の植木鉢。
【考案の詳細な説明】
【技術分野】
【０００１】  本考案は、主に３つのパーツに分解・組立してなるもので、吊式でも置式でも使用でき、特に蔓草を鑑賞するのに有効な植木鉢に関するものである。
【背景技術】
【０００２】  従来の技術として、底面部と、底面部と回転可能に接続した複数の側面部を有し、底面部と側面部に囲まれた収納空間が設けられた本体部材と、側面部の貫通孔に挿通されたひも状部が設けられている。そして、対象物品を収納空間に収納してひも状部材を引き上げると、側面部が対象物品側に回転して対象物品が接触した状態で吊り下げることができるものがある。（特許文献１参照）【０００３】  また、別の従来技術として、上面の開口部の周縁に複数の上向きの支持孔を周方向に間隔を空けて形成してなる鉢本体と、リングにより連結した複数の接続体に夫々上向きと下向きの一対ずつの接続孔を形成してなる接続具と、上端部が前記下向きの接続孔に嵌入されるとともに下端部が前記支持孔または前記上向きの接続孔に嵌入される複数の巻付棒とからなることを特徴とする植木鉢がある。（特許文献２参照）
【特許文献１】  特開２００３−３２７２３８号公報
【特許文献２】  実開平５−７０２５５号公報
【考案の開示】
【考案が解決しようとする課題】
【０００４】  上記前者の場合は、鉢を単に吊り下げるという機能を設けているもので、蔓草を美的に巻き付けたり、植物を植え替えたりするときの掃除する機能等を有していない。【０００５】  また、上記後者においても、蔓草を巻き付けることができず、また、鉢全体を植物にて隠し、吊り下げて植物鑑賞することができないものである。【０００６】  本考案は、このような従来の構成が有していた問題を解決しようとするものであり、巻付体と鉢本体と受皿を着脱自在に組み合わせることができ、用途・目的や植物の特性に合わせて使用できると共に、手入れや掃除が簡単にでき、色のコーディーネートによりインテリアとしても格調の高い植木鉢を提供するものである。
【課題を解決するための手段】
【０００７】  本考案は、上記目的を達成するため、主に蔓草を巻き付ける取付片を設けた網目状の巻付体と、該取付片に着脱自在に取り付けるべく取付部を設けてなる支持軸を突設すると共に、受皿連結部を設けてなる鉢本体と、該受皿連結部に着脱自在に取り付ける鉢連結部を設けてなる受皿とから構成してなる。
取付片が、巻付体の上部内側に複数突設してなる。
取付部が、通孔である。
受皿連結部と鉢連結部を、凹状あるいは凸状とする。
支持軸の頂部を、巻付体の上面より適宜突出してなる。
巻付体に、フック片を設けてなる。
巻付体の下面を、鉢の上面より、下方に位置させてなる。
巻付体と鉢本体と受皿の色を各種設けてなることを特徴とする。
【考案の効果】
【０００８】１）、巻付体と鉢本体と受皿とを着脱自在に組み合わせることができるため、用途・目的や植物の特性に合わせて使用できるものである。
２）、巻付体を網目状に形成することにより、特に蔓草類を好みに合わせて巻き付け鑑賞することができる。
３）、巻付体の取付片に、支持軸の取付部（通孔）を差し込むのみで、着脱自在に組み立てることができ、簡単に作業を行える。
４）、受皿連結部と鉢体連結部を凹状あるいは凸状とすることにより、着脱が簡単・容易にできる。
５）、支持軸の頂部を、巻付体の上面より適宜突出することにより、支持軸を内側に挿すのみで巻付体と分離できるものである。
６）、フック片を設けることにより、天井等に吊り下げて使用できるものである。
７）、巻付体の下面を、鉢の上面より下方に位置させることにより、必要に応じて、鉢本体全体を隠すこともでき、美的に使用できるものである。
８）、各部品の色を変えて組み合わせることにより、部屋の色とのマッチングや雰囲気に合わせて使用できる。
９）、各部品を着脱自在に設けることにより、掃除が楽であり、いつまでも清潔に使用できる。
【考案の実施するための最良の形態】
【０００９】  １は、植木鉢である。
２は、主に蔓草を巻き付ける円錐台形の網目状の巻付体で、上部内側に複数（この実施例の場合、４箇所）の取付片２ａを水平方向に突設してある。
また、上面中央にフック片２ｂを設けてある。
３は、上記巻付体２の取付片２ａに着脱自在に取り付ける鉢本体で、鉢３ｂの上部外周に通孔による取付部３ａ１を設け、ボルトＢ等にて固定してなる支持軸３ａを突設すると共に、鉢３ｂに凸状の受皿連結部３ｂ１（この実施例の場合、３箇所）を突設し、通気孔３ｂ２を設けてなるものである。
４は、上記受皿連結部３ｂ１に着脱自在に取り付ける凹状の鉢連結部４ａ（この実施例の場合、３箇所）を内側に設けてなる。
【００１０】  つぎに、上記植木鉢１の使用例について、下記に述べる。
予め、鉢３ｂ内に土Ｔを入れ、植物Ｓ（例えばポトス等）を植えたものをセットし、植物Ｓを支持軸３ａ…や巻付体２へ巻き付ける。
この状態で、フック片２ｂを天井（図示せず）に引っ掛け、吊り下げてもよく、また、テーブルＴＢの上に置いて鑑賞するものである。
【００１１】  なお、植物Ｓを変更（植え替え等）する場合、支持軸３ａ…の上部を内側へ押さえることにより、取付片２ａが外れ、巻付体２と支持軸３ａ…を分離することができる。
また、必要に応じて、ボルトＢを取り除くことにより、支持軸３ａを外すことができる。
さらに、受皿４も鉢連結部４ａから受皿連結部３ｂ１を引き抜くことにより、容易に取り外せ、各部品の掃除やメンテナンス（取替）ができるものである。
【００１２】  上記実施例において、巻付体、鉢、受皿等の大きさや形状は必要に応じて決めればよい。
また、支持軸の本数も４本に限定することなく、３本等でもよい。
さらに、色においても自由に設定すればよい。
【図面の簡単な説明】
【００１３】
【図１】  本考案の一実施例を示す植木鉢の一部縦断正面図。
【図２】  本考案の一実施例を示す巻付体の正面図。
【図３】  本考案の一実施例を示す巻付体の平面図。
【図４】  本考案の一実施例を示す鉢本体の一部縦断正面図。
【図５】  本考案の一実施例を示す鉢本体の平面図。
【図６】  本考案の一実施例を示す鉢本体の底面要部図。
【図７】  本考案の一実施例を示す受皿の縦断正面図。
【図８】  本考案の一実施例を示す使用状態図。
【符号の説明】
【００１４】  １−−−植木鉢
２−−−巻付体
２ａ−−取付片
２ｂ−−フック片
３−−−鉢本体
３ａ−−支持軸
３ｂ−−鉢
３ａ１−取付部
３ｂ１−受皿連結部
４−−−受皿
４ａ−−鉢連結部
Ｂ−−−ボルト
Ｔ−−−土
Ｓ−−−植物
ＴＢ−−テーブル
【図１】
0003124595.tif 000003
【図２】
0003124595.tif 000004
【図３】
0003124595.tif 000005
【図４】
0003124595.tif 000006
【図５】
0003124595.tif 000007
【図６】
0003124595.tif 000008
【図７】
0003124595.tif 000009
【図８】
0003124595.tif 000010